(57)【要約】【課題】ころ軸受けにおける付勢部材をケージリング内に保持する。【解決手段】ころ軸受けが、外輪と、外輪によって囲まれたケージであって、２つのケージリングと、ケージリングを連結し、互いに角変位してその間に複数のローラ収容空間を形成する複数の支柱とを含み、ケージリングの各々が、複数の保持穴を備えて形成され、その各々がローラ収容空間のそれぞれと空間連通するケージと、ローラ収容空間内にそれぞれ収容された複数の一次ローラと、ローラ収容空間のそれぞれに各々が収容され、ケージリングのそれぞれ軸方向に整列した一対の保持穴内に各々が延びる複数の付勢部材とを含む。【選択図】図２
2009008262.tif 000002
【特許請求の範囲】
【請求項１】
外輪と、
前記外輪によって囲まれたケージであって、同軸にして配置され、軸方向に互いに離れた２つのケージリングと、前記ケージリングを連結し、互いに角変位してその間に複数のローラ収容空間を形成する複数の支柱とを備え、前記ケージリングの各々が複数の保持穴を備えて形成され、その各々が前記ローラ収容空間のそれぞれと空間連通し、前記ケージリングの一方の前記保持穴の各々が前記ケージリングの他方の前記保持穴のそれぞれと軸方向に整列したケージと、
前記ローラ収容空間内にそれぞれ収容された複数の一次ローラと、
前記ローラ収容空間のそれぞれに各々が収容され、前記一次ローラをそれぞれ付勢し、前記ケージリングのそれぞれ軸方向に整列した一対の前記保持穴内に各々が延びて、前記ケージリング間に保持される複数の付勢部材と、
を備えるころ軸受け。
【請求項２】
前記付勢部材の各々が２つの対向する端部と、前記端部間に延びる中央部とを有する屈曲板の形状を有し、前記端部が前記中央部から互いに向かって屈曲して、その間に２つの折り畳まれた端部を形成し、前記一次ローラのそれぞれに弾性的に当接する２つの弾性アームを形成し、前記付勢部材の各々の前記屈曲板上に形成された前記折り畳まれた端部が、それぞれ前記ケージリングのそれぞれ軸方向に整列した一対の前記保持穴に収容される、請求項１に記載のころ軸受け。
【請求項３】
前記付勢部材の各々の前記屈曲板の前記端部の各々が、前記付勢部材のそれぞれの前記屈曲板の前記中央部に向かって屈曲する屈曲自由端を有する、請求項２に記載のころ軸受け。
【請求項４】
前記支柱の各々が、肩部および凹部を形成するほぼＬ字形面を有するばね当接面を有し、前記付勢部材の各々が、前記支柱のそれぞれの前記凹部に収容され、前記支柱のそれぞれの前記ばね当接面の前記Ｌ字形面によって形成される前記肩部上に設置される、請求項１に記載のころ軸受け。
【請求項５】
前記支柱の各々が、前記ばね当接面に対向するローラ当接面をさらに有し、前記ローラ当接面と前記ばね当接面との間に、内側セグメントと、前記内側セグメントから前記外輪に向かい、前記ばね当接面のＬ字形面および前記ローラ当接面の屈曲面を形成し、前記一次ローラのそれぞれに沿って前記一次ローラのそれぞれの動きを案内する幅が狭い外側セグメントとを含む、請求項４に記載のころ軸受け。
【請求項６】
前記外輪が、内側に突出し、角変位してそれぞれ前記一次ローラに当接する複数のローラ駆動面をその間に形成する複数の軸方向に延びる溝を備えて形成された環状の内側突起部を有する、請求項１に記載のころ軸受け。
【請求項７】
前記外輪が、内側および径方向に突出し、前記内側突起部の２つの対向側面にそれぞれ配置されて、その間に２つの保持空間を形成する２つの対向する端部フランジをさらに有し、前記ころ軸受けが、複数の補助ローラと、前記保持空間内にそれぞれ収容される２つの補助リングとをさらに含み、前記補助リングの各々が、複数のローラ保持穴を備えて形成され、前記補助ローラが、それぞれ前記補助リングの前記ローラ保持穴内に保持され、前記外輪と回転接触する、請求項６に記載のころ軸受け。
【請求項８】
前記外輪、前記ケージ、および前記補助リング内を貫通して延び、前記一次ローラおよび前記補助ローラと接触する内輪をさらに含む、請求項７に記載のころ軸受け。
【発明の詳細な説明】
【技術分野】
【０００１】
本発明は、ころ軸受けに関し、特に、付勢部材の端部を保持するための保持穴を備えて形成された２つのケージリングを有するケージを含むころ軸受けに関する。
【背景技術】
【０００２】
図１は、複数の傾斜ローラ駆動面７１０を備えて形成された外輪７１と、外輪７１内に収容され、複数の角変位した保持空間７２１を備えて形成されたケージ７２と、保持空間７２１内に収容され、傾斜ローラ駆動面７１０によって駆動される複数の円筒形ローラ７４と、保持空間７２１内に収容され、円筒形ローラ７４を付勢する複数の付勢部材と、ケージ７２内に収容された内輪（図示せず）とを含む従来の一方向ころ軸受けを示す。外輪７１の傾斜ローラ駆動面７１０によって、内輪は、外輪７１が第１の回転方向に回転する場合に、外輪７１と共回りするように駆動され、外輪７１が第１の回転方向と逆の第２の回転方向に回転する場合に、外輪７１と共回りするようには駆動されない。一方向ころ軸受けの組立時に、付勢部材７３は、最初に保持空間７２１内に押し込まれ、その後ローラ７４が保持空間７２１内に押し込まれる。付勢部材７３が圧着係合状態で保持空間７２１内に保持されているので、保持空間７２１内にローラ７４を押し込む動作によって、望ましくないことには、付勢部材７３が保持空間７２１から外に飛び出す可能性がある。
【発明の開示】
【発明が解決しようとする課題】
【０００３】
したがって、本発明の目的は、従来技術に関連する上記欠点を克服することができるころ軸受けを提供することである。
【課題を解決するための手段】
【０００４】
本発明によれば、外輪と、外輪によって囲まれたケージであって、同軸にして配置され、軸方向に互いに離れた２つのケージリングと、ケージリングを連結し、互いに角変位してその間に複数のローラ収容空間を形成する複数の支柱とを含み、ケージリングの各々が複数の保持穴を備えて形成され、その各々が、ローラ収容空間のそれぞれと空間連通し、上記ケージリングの一方の保持穴の各々が上記ケージリングの他方の保持穴のそれぞれと軸方向に整列したケージと、ローラ収容空間内にそれぞれ収容された複数の一次ローラと、ローラ収容空間のそれぞれに各々が収容され、一次ローラをそれぞれ付勢し、ケージリングのそれぞれ軸方向に整列した一対の保持穴内に各々が延びて、ケージリング間に保持される複数の付勢部材とを備えるころ軸受けが提供される。
【０００５】
本発明の他の特徴および利点は、添付の図面を参照しながら本発明の好ましい実施形態についての以下の説明によって明らかになるだろう。
【発明を実施するための最良の形態】
【０００６】
図２および図６は、本発明のころ軸受けの好ましい実施形態を示す。このころ軸受けは、外輪１０と、外輪１０によって囲まれたケージ２０であって、同軸にして配置され、軸方向に互いに離れた２つのケージリング２１と、ケージリング２１を連結し、互いに角変位してその間に複数のローラ収容空間２４を形成する複数の支柱２２とを含み、ケージリング２１の各々が複数の保持穴２１１を備えて形成され、その各々が、ローラ収容空間２４のそれぞれと空間連通し、上記ケージリング２１の一方の保持穴２１１の各々が上記ケージリング２１の他方の保持穴２１１のそれぞれと軸方向に整列したケージ２０と、ローラ収容空間２４内にそれぞれ収容された複数の一次ローラ４０と、ローラ収容空間２４のそれぞれに各々が収容され、一次ローラ４０をそれぞれ付勢し、ケージリング２１のそれぞれ軸方向に整列した一対の保持穴２１１内に各々が延びて、ケージリング２１間に保持される複数の付勢部材３０とを備える。
【０００７】
この実施形態では、付勢部材３０の各々は、２つの対向する端部３３と、端部３３間に延びる中央部３２とを有する屈曲板（図４、図５および図７参照）の形状をしている。端部３３は、中央部３２から互いの方向に屈曲して、その間に２つの折り畳まれた端部３３１を形成し、一次ローラ４０のそれぞれに弾性的に当接する２つの弾性アームを形成する。付勢部材３０の各々の屈曲板上に形成された折り畳まれた端部３３１は、それぞれケージリング２１のそれぞれ軸方向に整列した一対の保持穴２１１に収容される。付勢部材３０の各々の屈曲板の端部３３の各々は、付勢部材３０のそれぞれの屈曲板の中央部３２に向かって屈曲する屈曲自由端３４を有する。
【０００８】
図６と組み合わせて図３を参照すると、支柱２２の各々は、肩部２２０１および凹部２２０２を形成するほぼＬ字形面を有するばね当接面２２０を有する。付勢部材３０の各々は、支柱２２のそれぞれの凹部２２０２に収容され、支柱２２のそれぞれのばね当接面２２０のＬ字形面によって形成される肩部２２０１上に設置される。支柱２２の各々は、ばね当接面２２０に対向するローラ当接面２２１をさらに有し、ローラ当接面２２１とばね当接面２２０との間に、内側セグメント２２３と、内側セグメント２２３から外輪１０に向かい、ばね当接面２２０のＬ字形面およびローラ当接面２２１の屈曲面２２１’を形成し、一次ローラ４０のそれぞれに沿って一次ローラ４０のそれぞれの動きを案内する幅が狭い外側セグメント２２４とを含む。付勢部材３０の各々の屈曲板の中央部３２は、支柱２２のそれぞれのばね当接面２２０に当接する。
【０００９】
外輪１０は、内側に突出し、角変位してそれぞれ一次ローラ４０（図２および図６参照）に当接する複数のローラ駆動面１４３をその間に形成する複数の軸方向に延びる溝１４４を備えて形成された環状の内側突起部１１を有する。ローラ駆動面１４３の各々は、外輪１０の軸（Ｘ）からの径方向の距離が互いに異なる軸方向に延びた対向する第１および第２の側面１４３１、１４３２（図２参照）を有する。外輪１０は、内側および径方向に突出し、内側突起部１１の２つの対向側面にそれぞれ配置されて、その間に２つの保持空間１４１を形成する２つの対向する端部フランジ１２をさらに有する。２つの補助リング５０は、それぞれ保持空間１４１内に収容される。補助リング５０の各々は、複数のローラ保持穴５１２を備えて形成される。複数の補助ローラ５２は、それぞれ補助リング５０のローラ保持穴５１２内に保持され、外輪１０と回転接触する（図２および図７参照）。
【００１０】
内輪６０は、外輪１０、ケージ２０、および補助リング５０内を貫通して延び、一次ローラ４０および補助ローラ５２と接触する。
【００１１】
この実施形態では、ころ軸受けは、一方向タイプのころ軸受けである。使用時に、外輪１０が駆動ユニット（図示せず）によって駆動され、その軸（Ｘ）を中心に第１の回転方向（図示せず）に回転すると、一次ローラ４０は、ローラ駆動面１４３によって圧迫され、付勢部材３０の付勢動作に抗して動き、ローラ駆動面１４３によって内輪６０に押し付けられ、内輪６０は、駆動されて外輪１０と共回りする。逆に、外輪１０が駆動されて第１の回転方向と逆の第２の回転方向に回転する場合には、一次ローラ４０は、付勢部材３０によって付勢され、それぞれ支柱２２のローラ当接面２２１に沿って動き、ローラ駆動面１４３によって内輪６０に押し付けられないため、外輪１０が第２の回転方向に回転する間、内輪６０は動かないままである。
【００１２】
組立時に、付勢部材３０の各々は、ケージリング２０のそれぞれ軸方向に整列した一対の保持穴２１１を貫通して延び、したがって付勢部材３０の各々の中央部および端部３２、３３はそれぞれのローラ収容空間２４内に収容され、折り畳まれた端部３３１は、ケージリング２０のそれぞれの保持穴２１１内に保持される。一次ローラ４０は、その後ローラ収容空間２４内に押し込まれ、それぞれ付勢部材３０によって付勢される。付勢部材３０の折り畳まれた端部３３１は、ケージリング２０の保持穴２１１内に保持されるため、一次ローラ４０がローラ収容空間２４内に押し込まれる際に、ローラ収容空間２４から付勢部材３０が不要に飛び出すことが防止され、それにより、上記従来技術の欠点が解消される。
【００１３】
以上、本発明を最も実用的かつ好ましい実施形態と考えられる実施形態に関して説明してきたが、本発明は開示の実施形態に限定されず、最も広義の解釈の精神および範囲内に含まれる種々の装置を含み、すべてのそのような変形版および等価装置を包含するものである。
【図面の簡単な説明】
【００１４】
【図１】従来の一方向ころ軸受けの分解斜視図である。
【図２】本発明のころ軸受けの好ましい実施形態の分解斜視図である。
【図３】好ましい実施形態のケージの断面図である。
【図４】図３の線ＩＶ−ＩＶに沿った断面図である。
【図５】好ましい実施形態の付勢部材の斜視図である。
【図６】好ましい実施形態の径方向の断面図である。
【図７】好ましい実施形態の軸方向の断面図である。
【図１】
2009008262.tif 000003
【図２】
2009008262.tif 000004
【図３】
2009008262.tif 000005
【図４】
2009008262.tif 000006
【図５】
2009008262.tif 000007
【図６】
2009008262.tif 000008
【図７】
2009008262.tif 000009
【外国語明細書】
2009008262.tif 000010
2009008262.tif 000011
2009008262.tif 000012
2009008262.tif 000013
2009008262.tif 000014
2009008262.tif 000015
2009008262.tif 000016
2009008262.tif 000017
2009008262.tif 000018
2009008262.tif 000019
2009008262.tif 000020
2009008262.tif 000021
2009008262.tif 000022
2009008262.tif 000023
2009008262.tif 000024
2009008262.tif 000025
2009008262.tif 000026
2009008262.tif 000027